【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、サービング基地局への送信のための１つまたは複数のアップリンク信号を生成すること、ここにおいて、前記ＵＥは、少なくとも無認可スペクトルを通して前記サービング基地局に通信信号を送信し、前記サービング基地局から通信信号を受信するように構成される、と、
前記ＵＥが、前記１つまたは複数のアップリンク信号のうちの少なくとも１つの送信のための非クリアチャネルアセスメント（非ＣＣＡ）サブフレームを決定することと、
無認可帯域を通して前記ＵＥが、前記非ＣＣＡサブフレームにおいて前記１つまたは複数のアップリンク信号のうちの前記少なくとも１つを送信することと
を備える、方法。
【請求項２】
前記非ＣＣＡサブフレームの前記構成は、持続時間および周期性に関連付けられ、前記持続時間と前記周期性との間の比は、５％にすぎない、
請求項１に記載の方法。
【請求項３】
前記サービング基地局から受信される前記通信信号は、直交分割多元接続（ＯＦＤＭＡ）信号である、
請求項１に記載の方法。
【請求項４】
前記１つまたは複数のアップリンク信号は、
サウンディング基準信号（ＳＲＳ）、
スケジューリング要求（ＳＲ）、
チャネル状態情報（ＣＳＩ）フィードバック、
アップリンク発見信号、
物理ランダムアクセスチャネル（ＰＲＡＣＨ）、または
物理アップリンク共有チャネル
のうちの少なくとも１つを含む、請求項１に記載の方法。
【請求項５】
前記ＵＥが、ＣＣＡサブフレーム内のクリアＣＣＡを検出することと、
前記ＵＥが、前記クリアＣＣＡの検出に応答して前記ＣＣＡサブフレーム内の前記１つまたは複数のアップリンク信号のうちの少なくとも他の１つを送信すること、ここにおいて、前記送信することは、前記検出から既定の時間が過ぎる前に発生する、と
をさらに含む、請求項１に記載の方法。
【請求項６】
前記サービング基地局から非ＣＣＡサブフレームにおいてダウンリンク送信を受信することをさらに含み、前記１つまたは複数のアップリンク信号のうちの前記少なくとも１つを前記送信することは、前記ダウンリンク送信を前記受信することに応答するものであり、る、
請求項４に記載の方法。
【請求項７】
前記基地局の送信状態を決定することと、
前記決定された送信状態に応答して前記１つまたは複数のアップリンク信号のうちの少なくとも１つの再送を行うかどうかを決定することと
をさらに含み、
前記１つまたは複数のアップリンク信号のうちの前記少なくとも１つは、ランダムアクセス要求であり、前記送信状態は、送信可状態、または送信不可状態のうちの少なくとも１つを含み、前記送信状態に応答して、
前記基地局が前記ランダムアクセス応答を送ることが取り除かれることを前記送信状態が示す場合、前記ランダムアクセス要求の再送を一時停止すること、または
前記基地局が、前記ランダムアクセス応答を送ることが取り除かれないことを前記送信状態が示す場合、前記ランダムアクセス要求を再送すること
のうちの１つを行う、請求項１に記載の方法。
【請求項８】
前記基地局の送信状態を決定することと、
前記決定された送信状態に応答して前記１つまたは複数のアップリンク信号のうちの少なくとも１つの再送を行うかどうかを決定することと
をさらに含み、
前記送信状態を前記決定することは、
前記基地局によって送信される１つまたは複数の基準信号について前記ＵＥがモニタリングすることと、
前記ＵＥが前記１つまたは複数の基準信号の検出に失敗する場合、送信不可送信状態を決定することと、
前記ＵＥが前記１つまたは複数の基準信号を検出する場合、送信可送信状態を決定することと、
前記ＵＥが非ＣＣＡサブフレームを検出する場合、送信可送信状態を決定することと
を含む、請求項１に記載の方法。
【請求項９】
第１の非ＣＣＡサブフレームについて、第１のオフセットを決定することと、
前記第１の非ＣＣＡサブフレームと第２の非ＣＣＡサブフレームとの間のアイドル持続時間に応答して、前記第２の非ＣＣＡサブフレームについて、前記第１のオフセットとは異なる第２のオフセットに順応すること、前記アイドル持続時間は、少なくとも閾値持続時間を満たす、と
をさらに含む、請求項１に記載の方法。
【請求項１０】
前記少なくとも１つまたは複数のアップリンク信号は、修正されたランダムアクセス要求を含み、前記修正されたランダムアクセス要求は、前記ＵＥの識別子の関数である、
請求項１に記載の方法。
【請求項１１】
修正されたランダムアクセス応答メッセージを受信することをさらに含み、前記修正されたランダムアクセス応答メッセージは、前記ＵＥおよび１つまたは複数の追加のＵＥに共通の情報の第１の部分と、情報の１つまたは複数の第２の部分とを含み、情報の前記１つまたは複数の第２の部分の各々は、ＵＥ固有情報を含む、
請求項１０に記載の方法。
【請求項１２】
ワイヤレス通信の方法であって、
少なくとも無認可スペクトルを通した通信用に構成されたサービング基地局が、少なくとも１つのアップリンク信号の受信のための非クリアチャネルアセスメント（非ＣＣＡ）サブフレームを識別することと、
前記非ＣＣＡサブフレームにおいて、ユーザ機器（ＵＥ）から１つまたは複数のアップリンク信号を、無認可帯域を通して、前記サービング基地局において受信することと
を備える、方法。
【請求項１３】
ワイヤレス通信用に構成された装置であって、
ユーザ機器（ＵＥ）において、サービング基地局への送信のための１つまたは複数のアップリンク信号を生成するための手段、ここにおいて、前記ＵＥは、少なくとも無認可スペクトルを通して前記サービング基地局に通信信号を送信し、前記サービング基地局から通信信号を受信するように構成される、と、
前記ＵＥが、前記１つまたは複数のアップリンク信号のうちの少なくとも１つの送信のための非クリアチャネルアセスメント（非ＣＣＡ）サブフレームを決定するための手段と、
無認可帯域を通して前記ＵＥが、前記非ＣＣＡサブフレームにおいて、前記１つまたは複数のアップリンク信号のうちの前記少なくとも１つを送信するための手段と
を備える装置。
【請求項１４】
ワイヤレス通信用の装置であって、
少なくとも無認可スペクトルを通した通信用に構成されたサービング基地局が、少なくとも１つのアップリンク信号の受信のための非クリアチャネルアセスメント（非ＣＣＡ）サブフレームを識別するための手段と、
前記非ＣＣＡサブフレームにおいて、ユーザ機器（ＵＥ）から１つまたは複数のアップリンク信号を、無認可帯域を通して、前記サービング基地局において受信するための手段と
を備える、装置。
【請求項１５】
実行されると、コンピュータに、請求項１乃至１２のいずれか１項に従う方法を実行させる命令を備える、コンピュータプログラム。
【手続補正２】
【補正対象書類名】明細書
【補正対象項目名】００８４
【補正方法】変更
【補正の内容】
【００８４】
[0099]本開示の以上の説明は、当業者が本開示を実行または使用することを可能にするために提供される。本開示に対する様々な修正は当業者には容易に明らかであり、本明細書で定義された包括的な原理は、本開示の精神または範囲から逸脱することなく、他の変形に適用され得る。ゆえに、本開示は、本明細書で説明された例および設計に制限されることを意図せず、本明細書に開示された原理および新規な特徴に合致する最も広い範囲が与えられるべきである。
以下に、本願出願の当初の特許請求の範囲に記載された発明を付記する。
［Ｃ１］
ワイヤレス通信の方法であって、
ユーザ機器（ＵＥ）において、サービング基地局への送信のための１つまたは複数のアップリンク信号を生成すること、ここにおいて、前記ＵＥは、少なくとも無認可スペクトルを通して前記サービング基地局に通信信号を送信し、前記サービング基地局から通信信号を受信するように構成される、と、
前記ＵＥが、前記１つまたは複数のアップリンク信号のうちの少なくとも１つの送信のための非クリアチャネルアセスメント（非ＣＣＡ）サブフレームを決定することと、
無認可帯域を通して前記ＵＥが、前記非ＣＣＡサブフレームにおいて前記１つまたは複数のアップリンク信号のうちの前記少なくとも１つを送信することと
を備える、方法。
［Ｃ２］
前記非ＣＣＡサブフレームの前記構成は、持続時間および周期性に関連付けられ、前記持続時間と前記周期性との間の比は、５％にすぎない、
［Ｃ１］に記載の方法。
［Ｃ３］
前記サービング基地局から受信される前記通信信号は、直交分割多元接続（ＯＦＤＭＡ）信号である、
［Ｃ１］に記載の方法。
［Ｃ４］
前記１つまたは複数のアップリンク信号は、
サウンディング基準信号（ＳＲＳ）、
スケジューリング要求（ＳＲ）、
チャネル状態情報（ＣＳＩ）フィードバック、
アップリンク発見信号、
物理ランダムアクセスチャネル（ＰＲＡＣＨ）、または
物理アップリンク共有チャネル
のうちの少なくとも１つを含む、［Ｃ１］に記載の方法。
［Ｃ５］
前記ＵＥが、ＣＣＡサブフレーム内のクリアＣＣＡを検出することと、
前記ＵＥが、前記クリアＣＣＡの検出に応答して前記ＣＣＡサブフレーム内の前記１つまたは複数のアップリンク信号のうちの少なくとも他の１つを送信すること、ここにおいて、前記送信することは、前記検出から既定の時間が過ぎる前に発生する、と
をさらに含む、［Ｃ１］に記載の方法。
［Ｃ６］
前記１つまたは複数のアップリンク信号を送信するための前記非ＣＣＡサブフレームのオフセットは、前記サービング基地局から１つまたは複数のダウンリンク信号を受信するための別の非ＣＣＡサブフレームの別のオフセットの関数である、
［Ｃ１］に記載の方法。
［Ｃ７］
前記サービング基地局から非ＣＣＡサブフレームにおいてダウンリンク送信を受信することをさらに含み、前記１つまたは複数のアップリンク信号のうちの前記少なくとも１つを前記送信することは、前記ダウンリンク送信を前記受信することに応答するものである、
［Ｃ４］に記載の方法。
［Ｃ８］
前記基地局の送信状態を決定することと、
前記決定された送信状態に応答して前記１つまたは複数のアップリンク信号のうちの少なくとも１つの再送を行うかどうかを決定することと
をさらに含む、［Ｃ１］に記載の方法。
［Ｃ９］
前記１つまたは複数のアップリンク信号のうちの前記少なくとも１つは、ランダムアクセス要求であり、前記送信状態は、送信可状態、または送信不可状態のうちの少なくとも１つを含み、前記送信状態に応答して、
前記基地局が前記ランダムアクセス応答を送ることが取り除かれることを前記送信状態が示す場合、前記ランダムアクセス要求の再送を一時停止すること、または
前記基地局が、前記ランダムアクセス応答を送ることが取り除かれないことを前記送信状態が示す場合、前記ランダムアクセス要求を再送すること
のうちの１つを行う、［Ｃ８］に記載の方法。
［Ｃ１０］
前記送信状態を前記決定することは、
前記基地局によって送信される１つまたは複数の基準信号について前記ＵＥがモニタリングすることと、
前記ＵＥが前記１つまたは複数の基準信号の検出に失敗する場合、送信不可送信状態を決定することと、
前記ＵＥが前記１つまたは複数の基準信号を検出する場合、送信可送信状態を決定することと、
前記ＵＥが非ＣＣＡサブフレームを検出する場合、送信可送信状態を決定することと
を含む、［Ｃ８］に記載の方法。
［Ｃ１１］
第１の非ＣＣＡサブフレームについて、第１のオフセットを決定することと、
前記第１の非ＣＣＡサブフレームと第２の非ＣＣＡサブフレームとの間のアイドル持続時間に応答して、前記第２の非ＣＣＡサブフレームについて、前記第１のオフセットとは異なる第２のオフセットに順応すること、前記アイドル持続時間は、少なくとも閾値持続時間を満たす、と
をさらに含む、［Ｃ１］に記載の方法。
［Ｃ１２］
前記少なくとも１つまたは複数のアップリンク信号は、修正されたランダムアクセス要求を含み、前記修正されたランダムアクセス要求は、前記ＵＥの識別子の関数である、
［Ｃ１］に記載の方法。
［Ｃ１３］
修正されたランダムアクセス応答メッセージを受信することをさらに含み、前記修正されたランダムアクセス応答メッセージは、前記ＵＥおよび１つまたは複数の追加のＵＥに共通の情報の第１の部分と、情報の１つまたは複数の第２の部分とを含み、情報の前記１つまたは複数の第２の部分の各々は、ＵＥ固有情報を含む、
［Ｃ１２］に記載の方法。
［Ｃ１４］
ワイヤレス通信の方法であって、
少なくとも無認可スペクトルを通した通信用に構成されたサービング基地局が、少なくとも１つのアップリンク信号の受信のための非クリアチャネルアセスメント（非ＣＣＡ）サブフレームを識別することと、
前記非ＣＣＡサブフレームにおいて、ユーザ機器（ＵＥ）から１つまたは複数のアップリンク信号を、無認可帯域を通して、前記サービング基地局において受信することと
を備える、方法。
［Ｃ１５］
前記非ＣＣＡサブフレームの前記構成は、持続時間および周期性に関連付けられ、前記持続時間と前記周期性との間の比は、５％にすぎない、
［Ｃ１４］に記載の方法。
［Ｃ１６］
前記１つまたは複数のアップリンク信号は、
サウンディング基準信号（ＳＲＳ）、
スケジューリング要求（ＳＲ）、
チャネル状態情報（ＣＳＩ）フィードバック、
アップリンク発見信号、
物理ランダムアクセスチャネル（ＰＲＡＣＨ）、または
物理アップリンク共有チャネル
のうちの少なくとも１つを含む、［Ｃ１４］に記載の方法。
［Ｃ１７］
少なくとも１つのＵＥについて前記非ＣＣＡサブフレームのオフセットを識別することをさらに含み、前記オフセットは、前記サービング基地局から１つまたは複数のダウンリンク信号を送信するための別の非ＣＣＡサブフレームの別のオフセットの関数である、
［Ｃ１４］に記載の方法。
［Ｃ１８］
前記基地局の送信状態を決定することと、
前記送信状態に応答して前記１つまたは複数のアップリンク信号のうちの少なくとも１つの再送を受信するか否かを決定することと
をさらに含む、［Ｃ１４］に記載の方法。
［Ｃ１９］
前記１つまたは複数のアップリンク信号のうちの少なくとも１つは、ランダムアクセス要求であり、前記送信状態は、送信可状態または送信不可状態のうちの少なくとも１つを含み、前記送信状態に応答して、
前記基地局が、前記ランダムアクセス応答を送ることが取り除かれることを前記送信状態が示す場合、前記再送されたランダムアクセス要求の受信を一時停止すること、
前記基地局が、前記ランダムアクセス応答を送ることが取り除かれることを前記送信状態が示す場合、前記再送されたランダムアクセス要求を受信することと
のうちの１つを決定すること、［Ｃ１８］に記載の方法。
［Ｃ２０］
前記送信状態を前記決定することは、
前記基地局が１つまたは複数の基準信号を送信しない場合、送信不可送信状態を決定することと、
前記基地局が１つまたは複数の基準信号を送信する場合、送信可送信状態を決定することと、
前記基地局が非ＣＣＡサブフレームを送信する場合、送信可送信状態を決定することと
を含む、［Ｃ１８］に記載の方法。
［Ｃ２１］
前記ＵＥのための第１の非ＣＣＡサブフレームについての第１のオフセットを決定することと、
前記第１の非ＣＣＡサブフレームと第２の非ＣＣＡサブフレームとの間の前記ＵＥにおけるアイドル持続時間に応答して、前記第２の非ＣＣＡサブフレームについて、前記第１のオフセットとは異なる第２のオフセットに順応すること、前記アイドル持続時間は、少なくとも閾値持続時間を満たす、と
をさらに含む、［Ｃ１４］に記載の方法。
［Ｃ２２］
前記１つまたは複数のアップリンク信号は、修正されたランダムアクセス要求を含み、前記修正されたランダムアクセス要求は、前記ＵＥの識別子の関数である、
［Ｃ１４］に記載の方法。
［Ｃ２３］
修正されたランダムアクセス応答メッセージを送信することをさらに含み、前記修正されたランダムアクセス応答メッセージは、前記ＵＥおよび１つまたは複数の追加のＵＥに共通の情報の第１の部分と、情報の１つまたは複数の第２の部分とを含み、情報の前記１つまたは複数の第２の部分の各々は、ＵＥ固有情報を含む、
［Ｃ２２］に記載の方法。
［Ｃ２４］
ワイヤレス通信用に構成された装置であって、
ユーザ機器（ＵＥ）において、サービング基地局への送信のための１つまたは複数のアップリンク信号を生成するための手段、ここにおいて、前記ＵＥは、少なくとも無認可スペクトルを通して前記サービング基地局に通信信号を送信し、前記サービング基地局から通信信号を受信するように構成される、と、
前記ＵＥが、前記１つまたは複数のアップリンク信号のうちの少なくとも１つの送信のための非クリアチャネルアセスメント（非ＣＣＡ）サブフレームを決定するための手段と、
無認可帯域を通して前記ＵＥが、前記非ＣＣＡサブフレームにおいて、前記１つまたは複数のアップリンク信号のうちの前記少なくとも１つを送信するための手段と
を備える装置。
［Ｃ２５］
前記ＵＥが、ＣＣＡサブフレーム内のクリアＣＣＡを検出するための手段と、
前記ＵＥが、前記クリアＣＣＡを検出ための前記手段に応答して前記ＣＣＡサブフレーム内の前記１つまたは複数のアップリンク信号のうちの少なくとも他の１つを送信するための手段、ここにおいて、前記送信することは、前記検出から既定の時間が過ぎる前に発生する、と
をさらに備える、［Ｃ２４］に記載の装置。
［Ｃ２６］
前記１つまたは複数のアップリンク信号を送信するための前記非ＣＣＡサブフレームのオフセットは、前記サービング基地局から１つまたは複数のダウンリンク信号を受信するための別の非ＣＣＡサブフレームの別のオフセットの関数である、
［Ｃ２４］に記載の装置。
［Ｃ２７］
前記基地局の送信状態を決定するための手段と、
前記決定された送信状態に応答して前記１つまたは複数のアップリンク信号のうちの少なくとも１つの再送を行うかどうかを決定するための手段と
をさらに備える、［Ｃ２４］に記載の装置。
［Ｃ２８］
ワイヤレス通信用の装置であって、
少なくとも無認可スペクトルを通した通信用に構成されたサービング基地局が、少なくとも１つのアップリンク信号の受信のための非クリアチャネルアセスメント（非ＣＣＡ）サブフレームを識別するための手段と、
前記非ＣＣＡサブフレームにおいて、ユーザ機器（ＵＥ）から１つまたは複数のアップリンク信号を、無認可帯域を通して、前記サービング基地局において受信するための手段と
を備える、装置。
［Ｃ２９］
少なくとも１つのＵＥについての前記非ＣＣＡサブフレームのオフセットを識別するための手段をさらに備え、前記オフセットは、前記サービング基地局から１つまたは複数のダウンリンク信号を送信するための別の非ＣＣＡサブフレームの別のオフセットの関数である、
［Ｃ２８］に記載の装置。
［Ｃ３０］
前記基地局の送信状態を決定するための手段と、
前記送信状態に応答して前記１つまたは複数のアップリンク信号のうちの少なくとも１つの再送を受信するか否かを決定するための手段と
をさらに備える、［Ｃ２８］に記載の装置。